(57)【要約】  【課題】扉構造の大型化の回避と扉の回転方向の規制をなくすこと。  【解決手段】  回転スライド扉10は、壁12，天井14，床16とで隔成された開口部18を開閉する扉本体20を備え，扉本体20の幅方向の中心上部には、吊り機構部22が配置され、扉本体20を回転自在に支持している。扉本体20が所定角度回転した状態で、これを開口部18の端部側にスライド移動可能に案内するスライド移動案内部24を備えている。吊り機構部22は、扉本体20に回転力が加えられると、自重により元の位置に復帰するヒンジ22aを有し、案内部24は、扉本体20の中心から開口部18端に向けた上り傾斜面を有している。扉本体10は、前方に押圧すると、吊り機構部22中心にして回転して、開口部18との交差角度が所定角度になると、案内部24に沿ってスライド移動する。扉本体20の押圧力が消失すると、自重で上り傾斜を下り、ヒンジ22aの付勢力により回転して、開口部18を閉止する。  【選択図】  図１
2006299552.tif 000002
【特許請求の範囲】
【請求項１】
壁と天井及び床とで隔成された開口部を開閉する扉本体を備えた回転スライド扉において、
前記扉本体の幅方向の中心上部に配置され、当該扉本体を回転自在に支持する吊り機構部と、
前記扉本体が所定角度回転した状態で、前記扉本体を前記開口部の端部側にスライド移動可能に案内するスライド移動案内部とを備え、
前記吊り機構部は、前記扉本体に回転力が加えられると、自重により元の位置に復帰する付勢力が作用する傾斜カム面が設けられたグラビティヒンジを有し、
前記スライド移動案内部は、前記扉本体の中心から前記開口部の端部側に向けた上り傾斜面を有し、
前記扉本体は、前方に押圧すると、前記吊り機構部中心にして回転して、幅方向と前記開口部との交差角度が所定回転角度になると、前記スライド移動案内部に沿ってスライド移動し、
前記扉本体の押圧力が消失すると、前記扉本体は、自重で、前記上り傾斜を下り、前記グラビティヒンジ部の付勢力により回転して、前記開口部を閉止するように移動することを特徴とする回転スライド扉。
【請求項２】
前記吊り機構部は、前記グラビティヒンジとガイドローラーとを備え、
前記グラビティヒンジは、相互に係合する前記傾斜カム面を有する可動部と固定部とを有し、
前記扉本体の上端側に前記可動部を結合すると共に、前記固定部は、前記スライド移動案内部内に配置されて、当該スライド移動案内部の延設方向に沿って転動するローラーに結合し、
前記ガイドローラーは、前記交差角度が所定角度になると、前記スライド移動案内部に当接転動可能になって、前記扉本体を前記スライド移動案内部に沿ってスライド移動可能に案内することを特徴とする請求項１記載の回転スライド扉。
【請求項３】
前記スライド移動案内部は、前記ローラーが当接転動する部分に、前記上り傾斜が設けられていることを特徴とする請求項１または２記載の回転スライド扉。
【請求項４】
前記扉本体は、前記吊り機構部と対向する位置にあって、床面に付設される下レール上を転動する回転ローラーを有することを特徴とする請求項１〜３のいずれか１項記載の回転スライド扉。
【請求項５】
前記扉本体は、当該扉本体が前記開口部の近傍にスライド移動した状態で、前記扉本体を幅方向にスライド移動操作されるスライド機構部を有することを特徴とする請求項１〜４のいずれか１項記載の回転スライド扉。
【請求項６】
前記スライド移動案内部は、前記扉本体が前記開口部の中心近傍にスライド移動した際に、前記扉本体の移動を規制するストッパを有することを特徴とする請求項１〜５のいずれか１項記載の回転スライド扉。
【発明の詳細な説明】
【技術分野】
【０００１】
この発明は、回転スライド扉に関し、特に、どの方向からも回転が行え、扉幅に相当する開口部が得られる回転スライド扉に関するものである。
【背景技術】
【０００２】
建物の出入り口に設置され、押圧操作により開いて、操作を解除することで閉止する半自動扉は、高齢化社会の到来と共に、病院や身障者施設だけでなく、個人の住宅内でも利用することが望まれている。
【０００３】
この種の半自動扉は、扉の一端側をグラビティヒンジで回転自在に支持する方式が、例えば、特許文献１に提案されている。ところが、このような方式の半自動扉では、扉の前面また背面側に、扉の回転を確保するための比較的大きな大きな空間が必要になる。
この場合、扉の中央部分にグラビティヒンジを設けると、扉の回転のために、前面ないしは背面側に必要とする空間は、少なくて済むが、扉の回転に伴って発生する開口部の幅が、扉の略半分となって、人や車椅子の通過できる開口部の幅を確保するためには、扉を大きくしなければならない。
【０００４】
このような課題を解決するために、例えば、特許文献２には、扉の回転とスライド移動とを同時に行うスライド・スイング方式の半自動扉が提案されている。この特許文献２に開示されている半自動扉は、ドアパネルを幅方向にスライドさせながら前後方向に回転させて開閉するスイングスライド式扉装置において、ドアパネルと、その回転縦柱とからなる扉体を、回転軸と共通軸を有するようにドア用オートヒンジを設け、このオートヒンジの本体底部から水平に突設された接続部にドアパネル取付けアームを固定し、当該ドアパネル取付けアームの先端部にドアパネルの下部を回転自在に支持する構成を備えている。
【０００５】
しかしながら、特許文献２に開示されている半自動扉には、以下に説明する技術的な課題があった。
【０００６】
【特許文献１】特開平１０−１６９３０１号公報
【特許文献２】特開２００４−１９０３０１号公報
【発明の開示】
【発明が解決しようとする課題】
【０００７】
すなわち、特許文献２に開示されている半自動扉は、ドアパネルを幅方向にスライドさせながら前後方向に回転させて開閉するので、比較的大きな開口部を確保しつつ、しかも、ドアパネルを回転させる際に必要な空間も少なくて済む。
【０００８】
ところがこの構成では、ドアパネルの回転方向が一方向に限られ、ドアパネルが回転する方向の手前側から、これを開けようとすると、ドアパネルが手前側に回転してくるので、例えば、車椅子でここを通過する場合には、一人での通過が難しいという問題がある。
【０００９】
また、ドアパネルは、上下端を一対の取付けアームで、片持ち梁状に支持する構造なので、取付けアームは、ドアパネルの荷重を支持した状態での、回転操作となり、扉構造が大型化するという問題もある。
【００１０】
本発明は、このような従来の問題点に鑑みてなされたものであって、その目的とするところは、扉の回動のために、扉の前面ないしは背面側に必要とする空間が小さく、かつ、開口した際に、十分な開口幅を確保することができ、しかも、扉構造の大型化を回避しつつ、扉の回転方向が一方向に限られることがない回転スライド扉を提供することにある。
【課題を解決するための手段】
【００１１】
上記目的を達成するために、本発明は、壁と天井及び床とで隔成された開口部を開閉する扉本体を備えた回転スライド扉において、前記扉本体の幅方向の中心上部に配置され、当該扉本体を回転自在に支持する吊り機構部と、前記扉本体が所定角度回転した状態で、前記扉本体を前記開口部の端部側にスライド移動可能に案内するスライド移動案内部とを備え、前記吊り機構部は、前記扉本体に回転力が加えられると、自重により元の位置に復帰する付勢力が作用する傾斜カム面が設けられたグラビティヒンジを有し、前記スライド移動案内部は、前記扉本体の中心から前記開口部の端部側に向けた上り傾斜面を有し、前記扉本体は、前方に押圧すると、前記吊り機構部中心にして回転して、幅方向と前記開口部との交差角度が所定回転角度になると、前記スライド移動案内部に沿ってスライド移動し、前記扉本体の押圧力が消失すると、前記扉本体は、自重で、前記上り傾斜を下り、前記グラビティヒンジ部の付勢力により回転して、前記開口部を閉止するようにした。
【００１２】
以上のように構成した回転スライド扉によれば、扉本体の幅方向の中心上部に配置され、当該扉本体を回転自在に支持する吊り機構部を有しているので、片持ち梁状に支持する場合よりも、支持構造が簡単になり、回転する際にも自重が作用しないので、小さい力で回転させることができ、しかも、扉本体を回転させると、回転に伴う扉本体の前後方向への突出量は、扉本体の略半分となり、扉の回動のために、扉の前面ないしは背面側に必要とする空間が小さくなる。
【００１３】
この場合の扉本体の回転方向は、これが、扉本体の幅方向の中心上部に配置された吊り機構部で支持されているので、どちらの方向にも回転することが可能で、扉の回転方向が一方向に限られることがない。
【００１４】
また、扉本体は、所定角度回転した状態で、これを開口部の端部側にスライド移動可能に案内するスライト移動案内部を有しているので、スライド移動させると、扉本体の幅にほぼ等しい開口部が得られ、開口した際に、十分な開口幅を確保することができる。
【００１５】
前記吊り機構部は、前記グラビティヒンジとガイドローラーとを備え、前記グラビティヒンジは、相互に係合する前記傾斜カム面を有する可動部と固定部とを有し、前記扉本体の上端側に前記可動部を結合すると共に、前記固定部は、前記スライド移動案内部内に配置されて、当該スライド移動案内部の延設方向に沿って転動するローラーに結合し、前記ガイドローラーは、前記交差角度が所定角度になると、前記スライド移動案内部に当接転動可能になって、前記扉本体を前記スライド移動案内部に沿ってスライド移動可能に案内することができる。
【００１６】
前記スライド移動案内部は、前記ローラーが当接転動する部分に、前記上り傾斜を設けることができる。
【００１７】
前記扉本体は、前記吊り機構部と対向する位置にあって、床面に付設される下レール上を転動する回転ローラーを有することができる。
【００１８】
前記扉本体は、当該扉本体が前記開口部の近傍にスライド移動した状態で、前記扉本体を幅方向にスライド移動操作されるスライド機構部を有することができる。
【００１９】
前記スライド移動案内部は、前記扉本体が前記開口部の中心近傍にスライド移動した際に、前記扉本体の移動を規制するストッパを有することができる。
【発明の効果】
【００２０】
本発明にかかる回転スライド扉によれば、扉の回動のために、扉の前面ないしは背面側に必要とする空間が小さく、かつ、開口した際に、十分な開口幅を確保することができ、しかも、扉構造の大型化を回避しつつ、扉の回転方向も一方向に限られることがない。
【発明を実施するための最良の形態】
【００２１】
以下、本発明の好適な実施の形態について、添付図面に基づいて詳細に説明する。
【実施例１】
【００２２】
図１〜図７は、本発明に係る回転スライド扉の一実施例を示している。これらの図に示した回転スライド扉１０は、図１にその全体構造を示すように、左右に配置された壁１２と、上部に配置された天井１４及び下部に配置された床１６で四周が隔成された開口部１８を、開閉する平板状の扉本体２０を備えている。
【００２３】
回転スライド扉１０は、扉本体２０の幅方向の中心上部に配置され、扉本体２０を回転自在に支持する吊り機構部２２と、扉本体２０が所定角度回転した状態で、扉本体２０を開口部１８の端部側にスライド移動させるスライド移動案内部２４とを備えている。
【００２４】
これらの吊り機構部２２とスライド移動案内部２４の詳細を図２及び図３に示している。これらの図に示した吊り機構部２２は、グラビティヒンジ２２ａと、一対のローラー２２ｂと、ローラー支持部材２２ｃと、一対のガイドローラー２２ｄと、取付け支持部２２ｅとを有している。
【００２５】
グラビティヒンジ２２ａは、扉本体２０に回転力が加えられると、扉本体２０の自重により、元の位置に復帰する付勢力が作用する傾斜カム面を有しており、扉本体２０の幅方向の中心軸と、自身の中心軸とが一致するように配置されている。
【００２６】
グラビティヒンジ２２ａは、相互に係合する傾斜カム面２２０ａを有す円筒状の可動部２２１ａと、固定部２２２ａとを備え、固定部２２２ａの中心には、軸部２２３ａが固設され、この軸部２２３ａは、可動部２２２ａの中心を貫通貫通するようににして上方に延設れさている。
【００２７】
可動部２２１ａは、その下方に配置される取付け支持部２２ｅに設けられた立設部に支持されている。一対のガイドローラー２２ｄは、この可動部２２１ａの支持された部分の両側に配置され、取付け支持部２２ｅに軸着することで、水平面内で回転可能に配置されている。
【００２８】
一対のローラー２２ｂは、ローラー支持部材２２ｃの端部に回転自在に枢着されていて、スライド移動案内部２４内に配置され、この案内部２４の天井ガイドレール２４ａの長手方向に沿って、転動するようになっている。ローラー支持部材２２ｃの下端には、軸部２２３ａの上端が固設されている。
【００２９】
取付け支持部２２ｅは、図３にその断面構造を示すように、下端にＬ字形の係止部２２０ｅが一体に設けられていて、この係止部２２０ｅには、扉本体２０の上端面に固設されたフレーム材２５の逆Ｌ字形突起２５ａが嵌着挿入されている。この係止部２２０ｅと突起２５ａの嵌着挿入構造により、扉本体２０は、その幅方向（図３においては、紙面に直交する方向）に沿ってスライド移動できるようになっている。
【００３０】
以上の構成により、グラビティヒンジ２２ａの可動部２２１ａは、扉本体２０の上端側に結合されるとともに、固定部２２２ａは、軸部２２３ａとローラー支持部２２ｃを介して一対のローラー２２ｂに結合されている。
【００３１】
一方、スライド移動案内部２４は、天井ガイドレール２４ａと、一対の上り勾配スペーサ２４ｂと、一対のサイドスペーサ２４ｃと、ストッパ２４ｄとを有している。
【００３２】
天井ガイドレール２４ａは、開口部１８の天井１４に沿って、そのほぼ全長に亘って延設され、天井１４に固設されており、そのほぼ中央部に、ローラー支持部２２ｃに当接して、その移動を阻止するストッパ２４ｄが固設されている。
【００３３】
天井ガイドレール２４ａは、その断面構造を図２に示すように、概略逆凹形のレール本体２４０ａと、この本体２４０ａの対向する側壁の内面中間位置に突設された一対の段部２４１ａとを有している。
【００３４】
各段部２４１ａの底面には、それぞれ上り勾配スペーサ２４ｂが固設されていて、上り勾配スペーサ２４ｂは、扉本体２０の中心から、開口部１８の一方の端部、図１においては、左方向の端部側に向けた上り傾斜面を有している。
【００３５】
そして、この上り勾配スペーサ２４ｂ上には、吊り機構部２２の一対のローラー２２ｂが載置されていて、各ローラー２２ｂは、上り勾配スペーサ２４ｂ上を転動するようになっている。
【００３６】
また、レール本体２４０ａの段部２４１ａの下方にあって、側壁の下端内面は、サイドスペーサ２４ｃが固設されている。このサイドスペーサ２４ｃは、扉本体２０に回転が加えられて、この回転に伴って、扉本体２０が上昇すると、吊り機構部２２の一対のガイドローラー２２ｄが、その内側面に当接して、転動するようになっている。このサイドスペーサ２４ｃのガイドローラ２２ｄが当接する内側面には、図２に示した状態で、奥側に向けて、厚みが薄くなるようになテーパが設けられている。
【００３７】
なお、本実施例の場合、図１に示すように、扉本体２０の下端には、回転ローラ２６と、戸車２８とが設けられている。回転ローラー２６は、吊り機構部２２のグラビティヒンジ２２ａと同軸上に配置されていて、床１６に埋設される下ガイドレール３０に沿って転動する。下ガイドレール３０は、開口部１８の下端に沿って延設されている。
【００３８】
以上のように構成した回転スライド扉１０では、扉本体２０の荷重は、吊り機構部２２を介して、スライド移動案内部２４の天井ガイドレール２４ａにより支持される。
【００３９】
すなわち、扉本体２０の荷重は、取付け支持部２２ｅを介して、グラビティヒンジ２２ａの可動部２２１ａに伝達され、相互に係合する傾斜カム面２２０ａを介して、可動部２２１ａから固定部２２２ａ，軸部２２３ａ，ローラー支持部２２ｃ，ローラー２２ｂおよび上り勾配スペーサ２４ｂと伝達されて、ガイドレール２４ａに伝えられる。
【００４０】
このとき、回転ローラー２６は、下ガイドレール２８に当接係合しているが、扉本体２０の荷重は、支持していない。回転ローラー２６は、吊り機構部２２と同軸上に位置していて、扉本体２０が回転する際に中心軸となり、下ガイドレール２８と係合することにより、扉本体２０が回転するときに、回転軸がブレることを防止している。
【００４１】
また、扉本体２０は、後述するように、回転力が加えられると、所定距離だけ上方に移動するが、その際に、下ガイドレール２８から脱輪することがないように、ばね付勢されている。次に、本実施例の回転スライド扉１０の作動について説明する。
【００４２】
回転スライド扉１０は、扉本体２０がスライド移動案内部２４と平行になっている場合には、図１に示すように、開口部１８を閉塞している。なお、この場合、壁１２と扉本体２０の間には、扉本体２０の回転を許容する間隙が設けられている。
【００４３】
扉本体２０で開口部１８を閉塞している状態では、扉本体２０の荷重が、その幅方向の中心軸上に配置されている吊り機構部２２を介しても支持されている。この状態で、今例えば、右半分の幅方向で、扉本体２０を前方に押す押圧力を加えると、扉本体２０は、吊り機構部２２のグラビティヒンジ２２ａの中心軸を中心に、右回転することになる。
【００４４】
なお、本実施例の場合、回転方向は、この方向に限るとこはなく、左回転させることもできるし、かつ、扉本体２０の背面側からも左右方向に回転させることも可能である。
【００４５】
扉本体２０が右回転すると、これに伴って、グラビティヒンジ２２ａの可動部２２１ａが同じ方向に回転し、このときに、可動部２２１ａが固定部２２２ａと傾斜カム面２２０ａを介して相互に係合しているので、可動部２２１ａが回転すると、これが傾斜カム面２２０ａに沿って上昇することになる。
【００４６】
このような移動が発生すると、可動部２２１ａには、傾斜カム面２２０ａに沿って、下方に移動する方向の重力が作用し、これが可動部２２１ａを元の位置に復帰する付勢力となり、この付勢力は、扉本体２０に常時作用している。
【００４７】
そして、扉本体２０をさらに前方に押圧し、これが約９０°回転すると、図４に示すにように、扉本体２０の幅方向が、スライド移動案内部２４のガイドレール２４ａと直交するようになる。
【００４８】
このときの回転過程の詳細を図６および図７に示している。図６は、特に、吊り機構部２２の一対のガイドローラー２２ｄと、スライド移動案内部２４のガイドスペーサ２４ｃとの関係の説明図である。また、図７は、吊り機構部２２の一対のガイドローラー２２ｄと、ローラー２２ｂとの関係の説明図である。
【００４９】
図６において、右端に２点差線で示した状態（i）が、扉本体２０が開口部１８を閉塞している状態であり、このときには、吊り機構部２２の一対のガイドローラー２２ｄは、ガイドレール２４ａと平行位置にあって、ガイドスペーサ２４ｃから離間している。
【００５０】
この場合、両端にローラー２２ｂが枢着されたローラー支持部２２ｃは、ストッパ２４ｄに当接して、その右方向移動が規制されている。この状態で扉本体２０を前方に押圧すると、図６の右端に実線で示すように、扉本体２０の幅方向が、ガイドレール２４ａと交差するようになり、これに伴って、ガイドローラー２２ｄも、徐々にガイドスペーサ２４ｃ側に近接する。
【００５１】
そして、この交差角度が、所定角度、図６に示した状態（ii）では、これが７８°になると、ガイドローラー２２ｄの外周縁が、ガイドスペーサ２４ｃの内面に接触して、回転するようになる。
【００５２】
なお、このような扉本体２０の回転過程においては、扉本体２０がグラビティヒンジ２２ａの傾斜カム面２２０ａの係合により上方に移動し、この上方移動も伴うことで、ガイドローラー２２ｄの外周縁が、ガイドスペーサ２４ｃの内面に接触するようになる。
【００５３】
すなわち、図１に示した断面状態は、扉本体２０が上方に移動したときを示しており、ガイドローラー２２ｄは、扉本体２０が下降位置にあるときには、ガイドスペーサ２４ｃの側方だけでなく下方側にも離間している。
【００５４】
ガイドローラー２４ｃがガイドスペーサ２４ｃの内面に接触するようになると、扉本体２０を天井ガイドレール２４ａに沿って、スライド移動させることが可能になり、さらに、扉本体２０を回転させて、これが天井ガイドレール２４ａと約８０°の交差状態（iii）を経過して、直交するように９０°回転させると、図６の左端に示した状態（iv）になる。
【００５５】
このような扉本体２０の回転に伴って、図６に示した状態では、ガイドローラー２２ｄがガイドスペーサ２４ｃに当接した後には、扉本体２０に回転力を加えると、扉本体２０は、天井ガイドレール２４ａに沿って、矢印方向にスライド移動する。
【００５６】
ガイドローラー２２ｄが側面に沿って回転するガイドスペーサ２４ｃは、天井ガイドレール２４ａの長手方向に沿って、漸次厚みが低減するテーパが設けられているので、ガイドローラー２２ｄは、円滑に回転する。なお、このテーパは、扉本体２０が９０°回転する位置から以降は、設けられていない。
【００５７】
扉本体２０が９０°回転すると、グラビティヒンジ２２ａの可動部２２１ａがストッパ２２４ａに当接して、その後の回転が不能になる。図７は、このような扉本体２０の回転過程における吊り機構部２２の一対のガイドローラー２２ｄと、ローラー２２ｂとの関係の説明図であり、扉本体２０の回転に伴って、ガイドローラー２２ｄは、扉本体２０と同じ方向に回転するが、ローラー２２ｂは、このような回転に関係なく、上がり勾配スペーサ２４ｂ上に載置されていて、ガイドローラー２２ｄがサイドスペーサ２４ｃに当接した後には、上がり勾配スペーサ２４ｂ上を転動する。
【００５８】
扉本体２０を９０°回転させた後に、さらに扉本体２０の押圧力を加えると、図４に示すように、扉本体２０は、９０°回転した状態で、そのまま開口部１８の端部までスライド移動する。
【００５９】
扉本体２０が開口部１８の端部までスライド移動すると、天井ガイドレール２４ａには、図５に一部を拡大して示すように、ローラー２２ｂに嵌合して、その移動を規制するバネストッパ２４２ａが設けられているので、ローラー２２ｂにこれが嵌合すると、扉本体２０の移動が規制される。なお、図５に符号１５で示した部材は、壁１２の上端に設けられたストッパ部材である。
【００６０】
扉本体２０の移動が規制されると、本実施例の場合には、取付け支持部２２ｅは、図３にその断面構造を示すように、下端にＬ字形の係止部２２０ｅが一体に設けられていて、この係止部２２０ｅには、扉本体２０の上端面に固設されたフレーム材２５の逆Ｌ字形突起２５ａが嵌着挿入されていて、係止部２２０ｅと突起２５ａの嵌着挿入構造により、扉本体２０は、その幅方向に沿ってスライド移動できるようになっている。
【００６１】
このため、例えば、開口部１８の一方側が廊下で、扉本体２０の幅の半分が突出しても、歩行に障害が発生するような場合には、廊下側と反対方向にスライド移動させることができる。
【００６２】
図５には、この際のスライド移動の状態を示している。このスライド移動に際しては、図３に示すように、取付け支持部２２ｅとフレーム２５にそれぞれ固設されたストッパ片２２０ｅおよび２５ｂが相互に当接することで、スライド移動が規制される。
【００６３】
扉本体２０をスライド移動させて、開口部１８を開放した後に、これを閉止する際には、バネストッパ２４２ａによるローラー２２ｂの移動規制を解除すればよい。なお、この場合、扉本体２０をその幅方向にスライド移動させている場合には、解除に先立ってこれをもとの状態に戻しておく。
【００６４】
バネストッパ２４２ａの移動規制の解除は、バネストッパ２４２ａのローラー２２ｂに対する嵌合を緩くしておけば、扉本体２０を僅かに引くだけで解除することができる。移動規制が解除されると、吊り機構部２２のローラー２２ｂは、上り勾配スペーサ２４ｂ上に載っているので、扉本体２０は、自重により、スペーサ２４ｂの傾斜面に沿って、開口部１８の中心側に向けて、スライド移動し、このスライド移動は、ローラー支持部２２ｃがストッパ２４ｄ２当接すると停止する。
【００６５】
また、扉本体２０には、グラビティヒンジ２２ａにより、元の状態に戻る方向の付勢力が作用しているので、移動規制が解除されて、扉本体２０の押圧力が消失すると、グラビティヒンジ２２ａの付勢力により、図６に示した右端状態（iv）から状態（iii），（ii）を経て、逆方向に回転して、左端状態（i）に至り、開口部１８を閉止するようになる。
【００６６】
なお、このような扉本体２０による開口部１８の閉止過程は、例えば、扉本体２０のスライド移動を、バネストッパ２４２ａによるローラー２２ｂの移動規制が加えられる前に止めた場合には、扉本体２０の押圧力が消失すると直ちに、開始されることになる。
【００６７】
また、本実施例の場合には、スペーサ２４ｂの傾斜面に沿って、開口部１８の中心側に向けてのスライド移動と、グラビティヒンジ２２ａの付勢力による逆方向回転とが、同時進行的に行われるが、例えば、図６に太２点鎖線で示すように、ガイドローラー２２ｄの回転移動を規制する壁部を天井ガイドレール２４に設ければ、開口部１８の中心側に向けてのスライド移動を先行させて、その後に、グラビティヒンジ２２ａの付勢力による逆方向回転を行わせることができる。
【００６８】
以上のように構成した回転スライド扉１０によれば、扉本体２０の幅方向の中心上部に配置され、当該扉本体２０を回転自在に支持する吊り機構部２２を有しているので、片持ち梁状に支持する場合よりも、支持構造が簡単になり、回転する際にも自重が作用しないので、小さい力で回転させることができ、しかも、扉本体２０を回転させると、回転に伴う扉本体２０の前後方向への突出量は、扉本体２０の幅の略半分となり、扉の回動のために、扉の前面ないしは背面側に必要とする空間が小さくなる。
【００６９】
この場合の扉本体２０の回転方向は、これが、扉本体２０の幅方向の中心上部に配置された吊り機構部２２で支持されているので、どちらの方向にも回転することが可能で、扉の回転方向が一方向に限られることがない。
【００７０】
また、扉本体２０は、所定角度回転した状態で、これを開口部の端部側にスライド移動可能に案内するスライト移動案内部２４を有しているので、スライド移動させると、扉本体２０の幅にほぼ等しい開口部１８が得られ、開口した際に、十分な開口幅を確保することができる。
【産業上の利用可能性】
【００７１】
本発明にかかる回転スライド扉によれば、動力を使用することなく開口部の閉塞を自動的に行うことができるので、例えば、病院などの出入口用扉として有効に活用することができる。
【図面の簡単な説明】
【００７２】
【図１】本発明にかかる回転スライド扉の閉止状態の正面図である。
【図２】図１に示した吊り機構部とスライド移動案内部の拡大平面図である。
【図３】図１の側面図である。
【図４】図１の回転スライド扉を９０°回転させて、スライド移動させる際の説明図である。
【図５】図１の回転スライド扉を９０°回転させて、スライド移動させた後に、さらに幅方向にスライド移動させる際の説明図である。
【図６】図１に示した回転スライド扉を回転移動させる過程におけるガイドローラーの天井ガイドレール対する挙動の説明図である。
【図７】図１に示した回転スライド扉を回転移動させる過程におけるガイドローラーとローラーとの関係を示す説明図である。
【符号の説明】
【００７３】
１０        回転スライド扉
１２        壁
１４        天井
１６        床
１８        開口部
２０        扉本体
２２        吊り機構
２２ａ      グラビティヒンジ
２２ｂ      ローラー
２２ｃ      ローラー支持部
２２ｄ      ガイドローラー
２２ｅ      取付け支持部
２４        スライド移動案内部
２４ａ      天井ガイドレール
２４ｂ      上がり勾配スペーサ
２４ｃ      サイドスペーサ
２４ｄ      ストッパ
【図１】
2006299552.tif 000003
【図２】
2006299552.tif 000004
【図３】
2006299552.tif 000005
【図４】
2006299552.tif 000006
【図５】
2006299552.tif 000007
【図６】
2006299552.tif 000008
【図７】
2006299552.tif 000009